(57)【要約】  本発明は、コンピュータ及びそのアプリケーションに関し、より具体的には、ネットワークシステムの種々のセグメント及び遠隔無線によるデジタル拡散の用途に対するビデオ及びゲームの配信のためのユーザインタフェース及び対話システムの領域における情報システムに関する。詳細には、本発明は、ビデオが再生されている間にユーザがビデオプレイリストと対話することができ、これによりテレビコンテンツの消費行動をシミュレートした個人化された直感的な連続的経験が確保され、他のユーザと共有することが可能な動的ビジュアルブラウザ及びその動作方法に関する。【選択図】図１
2014502436.tif 000002
【特許請求の範囲】
【請求項１】
コンピュータで使用するための動的オーディオビジュアルブラウザであって、
前記ブラウザにより、ユーザが、ビデオの再生を維持してテレビコンテンツの消費行動をエミュレーションしながら、ビデオ再生プレイリストを見て、検索し、ブラウズし、前記プレイリストと対話することを可能にし、視覚的特徴及び機能を決定する以下の画面、すなわち、
ユーザが以前に登録したプロファイルを選択し、新しいプロファイルを登録することができるホーム画面と、
ビデオコンテンツを同時に動作させている間に、ユーザが一連のアイコンを通じて前記コンテンツの一時停止又は巻き戻しなどの機能を選択することができる線形ナビゲーション画面と、
ユーザが２次元マップを用いて前記コンテンツをブラウズすることができるフリースタイルナビゲーション画面と、
ユーザが、全てのカテゴリにより、好ましくはジャンル、友人、ディレクター、有名人、制作年、俳優、制作国、フォーマット、又はコンテンツ、友人リスト、又は他のシステムからインポートされたリストに関連する他の何れかのデータにより前記コンテンツを選ぶことができるｍｏｓａｉｃによるナビゲーション画面と、
ユーザが、プログラムディレクター名、制作年、その他などの追加情報を取得し、言語及び字幕を選択して類似のコンテンツに切り換えることができ、ユーザのブラウジングから及びユーザの友人及びインターネット上のプロファイルのステータスからユーザマッピング可能ダイナミックスに基づいてコンテンツの他の可能性を提案するディスプレイ情報と、
対話無しで、リスト上の次を示す前記コンテンツに重畳された情報画面と、
ユーザが、ユーザのお気に入りコンテンツを追加し又はこれにアクセスすることができ、該コンテンツをｍｏｓａｉｃによりソートし分類することができる「お気に入り」画面と、
を備えている、ことを特徴とする動的オーディオビジュアルブラウザ。
【請求項２】
動的推奨システムであって、該システムが、
各ビデオを順次的に連続して再生し、ブラウザ内でユーザによって生成された選好、履歴、及び対話を保持して各ユーザのブラウジングにより得られたデータを統計的に処理し、新しいリクエスト毎に各ユーザ又はユーザのグループについて異なるコンテンツを推奨し、前記推奨システムの情報は、カテゴリ、コンテンツのステータス、利用時間、友人の活用、２次元ブラウズ軸、人気、又は他の何れかのブラウズ特徴要素にアクセスすることによって取得されて、各ユーザについてのビデオのカスタムリストを提供し、オープン又はクローズか否かに応じてネットワーク環境で他のユーザと共有することができる、ことを特徴とする動的推奨システム。
【発明の詳細な説明】
【技術分野】
【０００１】
本発明は、コンピュータ及びそのアプリケーションの分野に関し、より具体的には、ネットワークシステムの種々のセグメント及び遠隔無線によるデジタル拡散の用途でのビデオ及びゲームの配信のためのユーザインタフェース及び対話システムの領域の情報システムに関する。詳細には、本発明は、ビデオが再生され、テレビコンテンツの消費行動をシミュレートした個人化された直感的な連続的経験を確保しながら、ユーザが、他のユーザと共有することが可能なビデオプレイリストと対話することがでる、動的ビジュアルブラウザ及びその動作方法に関する。
【背景技術】
【０００２】
ブラウザは、ユーザがバーチャルコンテンツと対話するのを可能にするコンピュータアプリケーションである。
【０００３】
最初のブラウザにはテキストのみが含まれていたが、その後改良されて、画像と音響が組み込まれた。インターネットＷｏｒｌｄ  Ｗｉｄｅ  Ｗｅｂの出現により情報領域が拡大された。
【０００４】
情報を共有する手段としてハイパーテキストを用いた先駆者である、Ｔｉｍ  Ｂｅｒｎｅｒｓ−Ｌｅｅは、１９９０年、このような概念の最初のブラウザを開発し、Ｗｏｒｌｄ  Ｗｉｄｅ  Ｗｅｂと名付けた。その後、ブラウザの発展は、ウェブ（Ｗｅｂ）自体の発展と密接にリンクしている。
【先行技術文献】
【特許文献】
【０００５】
【特許文献１】米国特許第７，１３０，６１６号明細書
【特許文献２】米国特許第６，６５４，９３１号明細書
【特許文献３】米国特許第５，９５６，７１６号
【特許文献４】米国特許公開２００７−２０４３１９明細書
【発明の概要】
【発明が解決しようとする課題】
【０００６】
しかしながら、ウェブは、実際にはＮＣＳＡ  Ｍｏｓａｉｃの採用に伴って初めて普及が後押しされ、このＮＣＳＡ  Ｍｏｓａｉｃは、当初はＵｎｉｘ（登録商標）上で実行されるグラフィカルブラウザ（テキストモードブラウザではなく）であったが、後にＡｐｐｌｅ  Ｍａｃｉｎｔｏｓｈ及びＭｉｃｒｏｓｏｆｔ  Ｗｉｎｄｏｗｓ（登録商標）に移植された。Ｍｏｓａｉｃのバージョン１．０は、１９９３年９月にリリースされた。ＮＣＳＡでＭｏｓａｉｃのプロジェクトリーダであったＭａｒｃ  Ａｎｄｒｅｅｓｓｅｎは、退職後、後にＮｅｔｓｃａｐｅ  Ｃｏｍｍｕｎｉｃａｔｉｏｎｓ  Ｃｏｒｐｏｒａｔｉｏｎとして知られることになる会社を設立した。Ｎｅｔｓｃａｐｅは、１９９４年１０月にフラッグシップ製品であるＮａｖｉｇａｔｏｒをリリースし、翌年には最も人気のあるブラウザとなった。それまでインターネットに関心がなかったＭｉｃｒｏｓｏｆｔは、急遽、Ｓｐｙｇｌａｓｓ  Ｉｎｃから購入したＩｎｔｅｒｎｅｔ  Ｅｘｐｌｏｒｅｒにより競争に参入した。これは、「ブラウザ戦争」が始まったことを示しており、巨大企業「Ｍｉｃｒｏｓｏｆｔ」と、ウェブを幅広く普及させる元となった小企業のＮｅｔｓｃａｐｅとの間でのこのようなアプリケーション市場における戦いであった。
【０００７】
特にポータブルコンピュータ及び一部の欧州諸国において人気がある、高速小型ブラウザＯｐｅｒａは、１９９６年に発表され、パーソナルコンピュータすなわちＰＣ用のブラウザ市場におけるニッチ製品として依然として生き残っている。
【０００８】
この時点から技術上のギャップが存在しており、オーディオビジュアルコンテンツを用いるブラウザになっても、選択技術並びにテキスト及び画像スクロールを使用してＨＴＭＬブラウザ又は同様のブラウザ内でテキスト及び静止画像などの静的要素を用いてビデオをブラウズすることができるだけであり、全てＨＴＭＬブラウザからのハイパーリンクの範疇にある。通常はケーブルテレビで使用される、より先進的なオンデマンドシステムにおいても、ユーザは、他のコンテンツを選択及び使用するにあたってビデオと自由に対話することができず、全ユーザに対して同じものである事前に決められたグリッドが提供されるにすぎない。
【課題を解決するための手段】
【０００９】
提示のブラウザは、一般に、検索を目的としたテキスト情報の簡単なやりとりであり、オーディオビジュアルコンテンツへのアクセスを扱う場合でも、このタスクは、管理の可能性のない単に再生するだけのものであり、直感的、カスタム的、又は連続的な方法でできるものではない。このため、ビデオを再生し、個別化された直感的で連続的な経験を確保して、テレビビデオの消費行動をエミュレーションしながら、ユーザが固有の対話を用いてビデオプレイリストを見て、ブラウズし、ナビゲートし、対話することを可能にした動的オーディオビジュアルブラウザが提案されるが、これは、ビデオチャンネルの代わりにビデオアプリケーションに基づいている。ナビゲーションは、線形リストではなくアレイ内の２次元的なものとすることができ、或いは、モザイク（Ｍｏｓａｉｃ）内で階層的とすることができる。マトリクス（Ｍａｔｒｉｘ）及びＭｏｓａｉｃは、ユーザが選択した構成を有することができる。
【００１０】
視聴及び検索のため、ビデオブラウザ内で選好、履歴、及びユーザ生成の対話を保持してインタフェース内で連続的且つ順次的に各ビデオを再生する関連の方法も提案されている。この方法は、各ユーザにビデオのカスタムリストを提示し、他のユーザと共有できるビデオの固有な消費者経験をもたらす。
【００１１】
要約すると、対話方式でテレビ動作をエミュレーションしたオーディオビジュアルを提示するブラウザを提供する。
【図面の簡単な説明】
【００１２】
【図１】各ユーザ（１）及び新規ユーザを作成するオプション（２）が示された、ブラウザの第１の画面を示す。
【図２】次の画面、すなわち線形ナビゲーションを示す。
【図３】フリースタイルモードのナビゲーション画面を示す。
【図４】図１の具体的事例を示す。
【図５】ナビゲーションｍｏｓａｉｃを示す。
【図６Ａ】コンテンツに関する情報を含む２つのポップアップウィンドウを示す。
【図６Ｂ】コンテンツに関する情報を含む２つのポップアップウィンドウを示す。
【図７】リモコン装置を介してアクセスされる機能リストを示す。
【図８】図２の画面上でアクセスされるFavorites Pop-up Window（お気に入りポップアップウィンドウ）を示す。
【図９】ブラウザを共に体系化するコンピュータシステムの層及び階層を示す。
【図１０】２方向ブラウザシステムのマッピングを示す。
【図１１】ブラウザを維持するシステムのオンライン配信アーキテクチャを示す。
【発明を実施するための形態】
【００１３】
（従来技術の考察）
世界中のデータ及び類似機器の世界トップメーカの商業ページにおける広範囲の考察により、本発明の新規性が実証され、以下に示した文献の考察と統合することができる。
【００１４】
米国特許第７，１３０，６１６号明細書（特許文献１）では、顧客装置にコンテンツ、管理、及び対話を提供するシステム及び方法を記載している。指定ユーザからの選好に基づくデジタルデータが自動的に取得されて転送される。当該特許の保護範囲は、類似の概念に取り組んでいるが、直感的で連続したブラウザマトリクスに結び付けられておらず、従って、本発明の特徴からは逸脱している。
【００１５】
米国特許第６，６５４，９３１号明細書（特許文献２）では、ＭＰＥＧ２再生システムの単純な拡張ではなく、ＭＰＥＧ４ベースのオブジェクトの特性に基づいたＭＰＥＧ４再生システムを記載しており、エンコードされる独立オブジェクト並びにシーンの構成及び表示の同期的管理における新しい可能性と課題を提示している。従って、これらの設定は、新規の改良されたマルチメディアサービス及びシステムを可能にする。また、Ａｄａｐｔｉｖｅ  Ａｕｄｉｏ  Ｖｉｓｕａｌ  Ｓｅｓｓｉｏｎ又はＭＰＥＧ−Ｊと呼ばれる拡張機能を目的としている。ＡＡＶｓ  （すなわち、ＭＰＥＧ−ＡＡＶｓ，ＭＰＥＧ−Ｊａｖａ（登録商標）、又はＭＰＥＧ−Ｊ）は、セットアップだけではなく、アプリケーションプログラミングインタフェース（Ａ−ＰＩ）の定義及びそのＪａｖａ（登録商標）パッケージの編成を必要とする。また、Ｍｏｓａｉｃの概念は限定的である。本特許は、ＭＰＥＧ４の使用に限定されたナビゲーションを含むシステムを記載しており、その処理は、Ｊａｖａ（登録商標）プラットフォーム上で編成されたデータで行われ、本発明によって示される特徴から逸脱している。
【００１６】
米国特許第５，９５６，７１６号（特許文献３）の保護範囲は、ビデオストレージ及び検索システムを示しており、ここではビデオクリップは、ローカルに、及び／又は遠隔のロケーションに記憶され、ユーザ又はマルチメディア端末がリクエストし取得することができる。ユーザビデオクリップをリクエストすると、当該リクエストは、Ｓｅａｒｃｈ  ａｎｄ  Ｒｅｃｏｖｅｒｙ  Ｕｎｉｔ  ｌｏｃａｔｉｏｎ（ＳＲＵ）による１次インデックマネージャ（ＰＩＭ）によって処理される。メッセージがＰＩＭに伝達される前に、ＳＲＵ制御装置は、自己のローカルストレージをチェックし、リクエストされたビデオクリップが利用可能かどうかを判定する。ビデオの何れかがローカルにある場合、ＳＲＵ制御装置は、ＰＩＭにリクエストを転送し、指定のビデオクリップの使用を決定できるようにする。ＰＩＭは、オーディオビジュアルデータが格納されている場所をＳＲＵに通知し、この情報をＤａｔａ  Ｉｎｔｅｒｆａｃｅ（ＤＳＩ）シーケンスに送る。ＩＳＤは、ビデオクリップを収集し、ユーザ端末にクリップをダウンロードする。ユーザは、必要に応じてクリップを視聴、コピー、又は印刷することができる。好ましい形態では、本発明によって配信されるビデオの配信システムは、同じロケーション及び／又は遠隔のロケーション上に格納されたビデオクリップを提供し、インターネットによりリクエストし、ユーザ端末からマルチメディア内を検索することができる。ユーザが、ウェブページ上で示される所望のビデオクリップをリクエストした場合、当該リクエストは、１次インデックマネージャ（ＰＩＭ）に送られる。ＰＩＭは、転送が完了した場合に、リクエストされたクリップを収容する最も近いサーバを位置特定するよう試みる。システムはまた、ビデオのアップロード、サーバの地理的に多様な配信、動的ロードバランシング機構、及びビデオクリップの不正複写を防ぐセーフガード手段を含む。このような発明は、本発明で提案したようなテレビ用の連続ブラウザ及び動作エミュレーションの特性を示していない。
【００１７】
米国特許公開２００７−２０４３１９明細書（特許文献４）では、特に情報（オーディオデータ、ビデオデータ、データテキストのセット、又はこれら３つの組み合わせによって示すことができる）の伝達監視を容易且つ強化したオーディオビジュアルデータによって表される情報での用途で、情報の伝送に用いられるブラウザを示しており、情報コンテンツの概説を得るために情報を迅速に修正できるようにし、また情報を評価する方法における柔軟性を可能にしている。当該発明の１つの特定の用途において、ニュースプログラムのオーディオビジュアルコンテンツは、情報（例えば、テレビニュース）の１つ又はそれ以上のソースの第１のセットから受け取られ、テキストニュースは、１つ又はそれ以上のソース情報（例えば、オンラインニュースサービス又はニュースサービス）の第２のセットから収集される。この用途において、当該発明は、ユーザがテレビニュースにランダムにアクセスすることができ、その結果、ユーザは、ニュース間又はニュースプログラム間を迅速に移動することができるようになる。当該発明はまた、特定のテーマに関するニュースをユーザが迅速に見つけ出すことを可能にし、更に、ユーザがニュースプログラムの特別なレポートを視聴している場合には、当該発明は、関連するニュースを識別し表示することができる。当該発明はまた、例えば、表示の加速、表示する１つ又はそれ以上のニュースのショートストーリーの作成、又はニュース表示の一時停止など、ユーザがニュースプログラムの表示を制御することを可能にすることができる。その上、当該発明は、表示されているニュース並びに見たことのあるストーリーが何であるかをユーザに示すことができる。このような発明は、何らかの２次元的又は直感的ブラウザ法を特許請求しておらず、本発明の保護される特徴から逸脱している。
【００１８】
技術上のギャップに対処するために、本発明は、ビデオを再生して、個別化された直感的で連続的な経験を確保して、テレビビデオの消費行動をエミュレーションしながら、ユーザが固有の対話を用いてビデオプレイリストを見て、ブラウズし、ナビゲートし、対話することを可能にする動的ビジュアルブラウザを提供する。
【００１９】
また、視聴及び検索のため、ビデオブラウザ内でのユーザ生成の選好、履歴、及び対話を保持してインタフェースにて順次的に各ビデオを連続再的にタッチすることに関連した方法も提案される。本方法は、オープン又はクローズネットワーク環境で他のユーザと共有できるビデオの各消費者に対して固有の経験を各ユーザにもたらすカスタムビデオリストを提供する。
【００２０】
ナビゲーションは、図３に示すように線形リストではなくマトリクス（Ｍａｔｒｉｘ）内で２次元とすることができ、或いは、Ｍｏｓａｉｃ内で階層的とすることができる。Ｍａｔｒｉｘ及びＭｏｓａｉｃは、ユーザが選択した構成を有することができる。コンテンツは、数字符号についての推奨、共有できるアイコンの個人的な感情（悲しい、嬉しい、興奮している、怒っている、その他）との一致又は不一致を含む、複数のパラメータを用いてユーザが評価することができる。
【００２１】
本発明は、現在利用可能なテレビシステムと置き換わることができ、あらゆる電子通信デバイスにおける種々の市場に対するソリューションを提供する。共通のインタフェースを受け継ぐことにより、ブラウザモデル及び個人化モデルが、個別のオーディオビジュアルコンテンツ（表示、ビデオ、及びゲーム）をあらゆる場所にいつでも手頃な価格で提供する。本発明は、以下の図を参照するとより理解することができる。
【００２２】
図１は、各ユーザ（１）及び新規ユーザを作成するオプション（２）が示された、ブラウザの第１の画面を示している。この時点で、ユーザは、選好又は利便性に応じて予め登録されたプロファイルを選択し、或いは、新しいプロファイルを登録することができる。
【００２３】
図２は、次の画面、すなわち線形ナビゲーションを示しており、ここでは、コンテンツが作動している間、ユーザが一連のアイコン（３）、コンテンツの一時停止又は巻き戻しなどの機能（４）を選ぶことができる。
【００２４】
図３は、フリースタイルモードのナビゲーション画面を示しており、ここではユーザが、図１０の実施例のように２次元マップ（５）を用いてコンテンツをナビゲートすることができる。図３には、提供又は選択されたマップにおいてユーザを誘導する従来の移動シンボル（上、下、左、右）を用いたナビゲーション要素が示されており、これらは、コンテンツを視聴又は選択し、最初のコンテンツに戻るような機能を可能にし、線形ブラウズ（図２に示すような）を実施し、ｔａｇ−ａｌｏｎｇ（つきまとい）と呼ばれる結合ナビゲーション（ここではユーザがアクティブで、他者がパッシブである）においてコンテンツを共に視聴できる他の人々とブラウザを共有する、或いは、システムの全てのコンテンツがシステムにより推奨されるか又はユーザにより選択された順序で進められる自己ブラウズを実施する追加のシンボルと関連付けられる。
【００２５】
図４は、図１の具体的事例を示しており、ここでソーシャルネットワーク（６）（例えば、Ｆａｃｅｂｏｏｋ）へのリンクを示すアイコンにアクセスし、選好、履歴、及びビデオブラウザ内でユーザが行った対話などの情報を他のユーザと共有し、ソーシャルネットワークから友人をリアルタイムでインポートすることができる。
【００２６】
図５は、ナビゲーションｍｏｓａｉｃを示しており、ここでユーザは、カテゴリ、性別選好、友人、方向、著名人、制作年、俳優、製作国、フォーマット、或いはコンテンツ、友人、又は他のシステムからインポートされたリストに関連する他の何れかのデータによりあらゆるコンテンツを選ぶことができる。
【００２７】
図６は、コンテンツに関する情報を含む２つのポップアップウィンドウを示している。第１の図（６Ａ）は、アイコンにより図２の画面上でアクセスされるＩｎｆｏｒｍａｔｉｏｎ  ａｎｄ  Ｉｎｔｅｒａｃｔｉｏｎ  Ｉｎｔｅｒｆａｃｅ  Ｏｖｅｒｌａｙ（情報及び対話インタフェースオーバレイ；コンテンツ情報「ウィジェット」と呼ばれる）であり、ここでユーザは、番組のディレクター名、制作年、その他などの追加情報を得ることができ、言語及び字幕を選択することができ、更に、同様のコンテンツに切り換えることができる。このようなウィンドウはまた、ナビゲーションのユーザマッピング可能ダイナミックス及びユーザの友人並びにインターネット上のプロファイルのステータスに基づいて他のコンテンツの可能性を提案する。第２の図（６Ｂ）は、リスト上で次に示すコンテンツとの対話なしに重畳される情報画面である。
【００２８】
図７は、本発明の解決策の不可欠の部分である、リモコン装置を介してアクセスされる機能リストを示している。
【００２９】
図８は、図２の画面上でアクセスされるＦａｖｏｒｉｔｅｓ  Ｐｏｐ−ｕｐ  Ｗｉｎｄｏｗ（お気に入りポップアップウィンドウ）を示しており、ここでユーザは、ユーザのお気に入りと考えられるコンテンツを追加し、又はこれにアクセスすることができ、ｍｏｓａｉｃによってソート及び分類することができる。
【００３０】
図９は、ブラウザを共に体系化するコンピュータシステムの層及び階層を示し、ここで第１の層は、「動的推奨システム」に関連し、ユーザに対する選択肢を与えるため種々のソースからのデータを処理し、あらゆる新しいリクエスト時に各ユーザ又はユーザグループに対して異なるブラウザ推奨を提供する。推奨システム情報は、とりわけ、カテゴリ、コンテンツステータス、利用期間、友人の活用、２次元軸ナビゲーション及び人気によりユーザから得ることができる。
【００３１】
図１０は、２方向ブラウザシステムのマッピングを示しており、これら２次元軸（例えば、「Ｆａｃｔｕａｌ−Ｆｉｃｔｉｏｎ（事実−フィクション）」と「Ｅｎｔｅｒｔａｉｎｍｅｎｔ−Ｄｅｖｅｌｏｐｍｅｎｔ（エンターテイメント−展開）」のナビゲーション及びコンテンツマップ相対位置の可能な軸線の実施例である。
【００３２】
図１１は、コンテンツの保存、オーディオビジュアルコンテンツのデータ交換、及び情報管理など、ブラウザを維持するシステムのオンライン配信アーキテクチャを示している。このアーキテクチャで記述される要素は、オーディオビジュアルコンテンツのオンライン配信のための現行の基準に基づいており、インターネットに接続されたあらゆるデバイスと互換性がある。異なるアーキテクチャを用いた他のビデオデバイスと互換性のある、（インターネットに接続されていない）オフラインシステムインタフェースにおける本発明の概念も用いてもよい。
【００３３】
表示ダイナミックス（動特性）において、ビデオは常にフルスクリーンで提供され、ここで、ブラウザ内で対話がリクエストされたときにはインタフェースのみが表示され、全てのコンテンツは、ユーザにより一時停止されない限り、常に再生中（プレイ中）であるように見える。コンテンツの交換は、テレビチャンネルの交換と同様に、集中した感じを維持するのに十分に迅速に行われ、ユーザが選択した時間に常にコンテンツの最初から得られるという利点がある。
【００３４】
動的表示内でのオーディオビジュアルコンテンツ間のナビゲーションは、集合的ロジックではなく、個人による利用可能なビデオリストにより行われる。全ての視聴者は、ユーザ、友人、又はシステムによるコンテンツ及びカスタムブラウザを選択したナビゲーション経験を持つことになる。
【００３５】
チャンネルを変更するのではなく、ユーザがプレイリストに配列されたビデオプログラムを用いてプレイリスト上で早送り又は巻き戻しして前進又は後退させる線形ナビゲーションは、ＴＶだけの場合と同様である。ナビゲーションは、線形リスト（図３に示すような）以外の２次元アレイ内にあり、或いは、階層的ｍｏｓａｉｃ（図５におけるビデオ壁状部のような）内に存在することができる。これらのアレイ及びｍｏｓａｉｃは、ユーザの選好に従ってユーザが選択した構成を有することができる。
【００３６】
インタフェースは、ビデオを視聴しながら、他のユーザとの活動の分割部を可能にし、共有ビデオにより選択したものをブラウズする経験を人々に持たせることができる。ブラウザにおいて他のセッションで以前に視聴したナビゲーション及びビデオは、保存して後でアクセスすることができる。
【００３７】
ユーザは、後でアクセスするために、自分のお気に入り又は他のユーザのお気に入りを保存し、また、選好、ビデオセグメント、及び他のコメントを共有し、同じデバイス又は他のデバイスで他の何れかの動作又はブラウザ使用の表示を共有することができる。ブラウザは、個人化した表示ダイナミックスを格納し、各個々のユーザに対するロジック内で新規の又は非新規のコンテンツを提供する。
【００３８】
ブラウザ内で実施した検索は、構成設定においてユーザが選んだジャンル又は何らかのパラメータ毎に各プログラムに対して固有の回数だけ実施される。インタフェースは、ビデオプレーヤとしてナビゲーションを完全に制御することができ、ビデオ内で一時停止、早送り、及び巻き戻しを行うことができる。インタフェースにより、ユーザが、ビデオメッセージ、ビデオリンク、画像、又はテキストの形態で他のユーザに送ったメッセージ、又は他のユーザから送られてきたメッセージにアクセスすることが可能になる。
【００３９】
ビデオブラウザは、１５フレーム／秒よりも高速の周波数レートで画面上にオーディオビジュアルコンテンツを表示し、ビデオの再生速度以上の持続形式のコンテンツにアクセスできるあらゆる電子デバイスで使用することができる。これらのデバイスは、コンピュータ、携帯電話、ＴＶ及びネットワークアクセスモニタ、ポータブルビデオプレーヤ、及び他の何れかのビデオプレーヤ装置を含む。これらの実行コマンドは、タッチスクリーン、キーボード、ポインタ（マウス）、又はリモコン装置などの入力デバイスを通じたものとすることができる。
【００４０】
本発明は、本明細書で記載され又は図示された表現に限定されず、広義の範囲で理解すべきである。上述の説明及び添付図面に示された教示の恩恵を有する、本発明の多くの修正及び他の表現は、本発明に関連する当業者には想起されるであろう。その上、本発明は、開示の特定の形態に限定されず、修正及び他の形態が添付の請求項の範囲内に含まれる点は理解されたい。特定の用語が本明細書で使用されたが、これらは、単に一般的な意味で説明のために使用されており、限定を意図するものではない。
【図１】
2014502436.tif 000003
【図２】
2014502436.tif 000004
【図３】
2014502436.tif 000005
【図４】
2014502436.tif 000006
【図５】
2014502436.tif 000007
【図６Ａ】
2014502436.tif 000008
【図６Ｂ】
2014502436.tif 000009
【図７】
2014502436.tif 000010
【図８】
2014502436.tif 000011
【図９】
2014502436.tif 000012
【図１０】
2014502436.tif 000013
【図１１】
2014502436.tif 000014
【国際調査報告】
2014502436.tif 000015
2014502436.tif 000016
2014502436.tif 000017
2014502436.tif 000018
2014502436.tif 000019